(57)【要約】【課題】ジュースや調味料や酒類などを収容する紙積層材料製の、上面が平坦な又は上面が切妻屋根形の直方体状の、切断端部が内容物に接していない常温流通可能な、シーラント層５に内容物の香気成分などが吸着する恐れがない、またシーラント層５の樹脂臭などが内容物に移行する恐れがない、内容物の味覚を保持する機能を付加した液体用紙容器を提供する。【解決手段】本発明は、少なくとも紙材料層３とバリヤー層４とシーラント層５とを積層した紙積層材料製の、上面板群２１　，２２　，２３　，２４と側面板３１　，３２　，３３　，３４と熱融着板３５と底面板群４１　，４２　，４３　，４４とを、それぞれ折り目線又は谷折り線を介して連設して成る液体用紙容器において、内容物に接するシーラント層５の内面側に、シリカ蒸着層２又はアルミナ蒸着層２を、熱融着する部分を除いてパターン状に設けた液体用紙容器である。【選択図】図１
2004115076.tif 000002
【特許請求の範囲】
【請求項１】
少なくとも紙材料層３とバリヤー層４とシーラント層５とを積層した紙積層材料製の、上面板群２１　，２２　，２３　，２４と側面板３１　，３２　，３３　，３４と熱融着板３５と底面板群４１　，４２　，４３　，４４とを、それぞれ折り目線又は谷折り線を介して連設して成る、上面が平坦な又は上面が切妻屋根形の直方体状の、切断端部が内容物に接していない常温流通可能な液体用紙容器において、内容物に接するシーラント層５の内面側に、シリカ（ＳｉＯＸ）蒸着層２又はアルミナ（Ａｌ２ＯＸ）蒸着層２を、熱融着する部分を除いてパターン状に設けたことを特徴とする液体用紙容器。
【請求項２】
請求項１に記載の切断端部が内容物に接していない常温流通可能な液体用紙容器において、内容物に接するシーラント層５の内面側に、シリカ（ＳｉＯＸ）蒸着層２又はアルミナ（Ａｌ２ＯＸ）蒸着層２を、熱融着する部分と全ての折り目線部分と全ての谷折り線部分とを除いてパターン状に設けたことを特徴とする液体用紙容器。
【発明の詳細な説明】
【０００１】
【発明の属する技術分野】
本発明は、ジュースや調味料や酒類などを収容する紙積層材料製の、上面が平坦な又は上面が切妻屋根形の直方体状の、切断端部が内容物に接していない常温流通可能な、内容物の味覚を保持する機能を付加した液体用紙容器に関する。
【０００２】
【従来の技術】
従来から、ジュースや調味料や酒類などを収容する、例えば図１　，図２に示すような、表面に美麗な印刷をした適宜の紙材料層３と、アルミニウム箔やシリカ蒸着付のＰＥＴフィルムなどのバリヤー層４と、熱融着性が優れた低密度ポリエチレンなどのシーラント層５とを、適宜の接着性樹脂層６を介するなどして積層した紙積層材料製の、上面板群２１　，２２　，２３　，２４と側面板３１　，３２　，３３　，３４と熱融着板３５と底面板群４１　，４２　，４３　，４４とを、それぞれ折り目線（　符号がない１点鎖線、以下同じ　）又は谷折り線（　符号がない破線、以下同じ　）を介して連設して成る、図３に示す上面が平坦な直方体状の、また図４に示す上面が切妻屋根形の直方体状の、切断端部が内容物に接していない常温流通可能な液体用紙容器が、一般に広く用いられている。
【０００３】
【発明が解決しようとする課題】
ところが、前述した従来の液体用紙容器については、図１Ａ　，図２Ａに示す熱融着板３５の縦の谷折り線を谷折りして、この谷折りした熱融着板３５の右側と側面板３１の左端部とを、それぞれのシーラント層５　，５どうしを熱融着して、紙積層材料の切断端部が内容物に接していない直方体状に製箱することによって、特に紙材料層３に内容物が浸透して漏れだす恐れがない、また紙材料層３の異物などが内容物に溶出する恐れがない、常温流通可能な優れた液体用紙容器であるものの、図１Ａ　，図２Ａに示す液体用紙容器のブランクの、熱融着する部分を除いた斜線で示す部分の、熱融着性が優れた低密度ポリエチレンなどのシーラント層５が、収容したジュースや調味料や酒類などの内容物に接しているために、このシーラント層５に内容物の香気成分などが吸着する恐れがあって、またシーラント層５の樹脂臭などが内容物に移行する恐れがあって、内容物の味覚を完全に保持することができない液体用紙容器であった。
【０００４】
そこで、本発明の目的は、ジュースや調味料や酒類などを収容する紙積層材料製の、上面が平坦な又は上面が切妻屋根形の直方体状の、切断端部が内容物に接していない常温流通可能な液体用紙容器において、内容物に接するシーラント層５の内面側に、低吸着性であってガスバリヤー性などが優れたシリカ蒸着層２又はアルミナ蒸着層２を設けることによって、このシーラント層５に内容物の香気成分などが吸着する恐れがない、またシーラント層５の樹脂臭などが内容物に移行する恐れがない、内容物の味覚を保持する機能を付加した液体用紙容器を提供することにある。
【０００５】
【課題を解決するための手段】
本発明の液体用紙容器は、図１　，図２に示すように、少なくとも紙材料層３とバリヤー層４とシーラント層５とを積層した紙積層材料製の、上面板群２１　，２２　，２３　，２４と側面板３１　，３２　，３３　，３４と熱融着板３５と底面板群４１，４２　，４３　，４４とを、それぞれ折り目線又は谷折り線を介して連設して成る、図３に示す上面が平坦な直方体状の、また図４に示す上面が切妻屋根形の直方体状の、切断端部が内容物に接していない常温流通可能な液体用紙容器において、内容物に接するシーラント層５の内面側に、シリカ（ＳｉＯＸ）蒸着層２又はアルミナ（Ａｌ２ＯＸ）蒸着層２を、熱融着する部分を除いて（　図１Ａに斜線で示す　）パターン状に設けたことを特徴とする液体用紙容器である。
【０００６】
本発明の液体用紙容器においては、前述した従来と同様の、表面に美麗な印刷をした適宜の紙材料層３と、アルミニウム箔やシリカ蒸着付のポリエチレンテレフタレート（ＰＥＴ）フィルムなどのバリヤー層４と、熱融着性が優れた低密度ポリエチレンなどのシーラント層５とを、適宜の接着性樹脂層６を介するなどして積層した紙積層材料製の、紙積層材料の切断端部が内容物に接していない直方体状に製箱することによって、特に紙材料層３に内容物が浸透して漏れだす恐れがない、また紙材料層３の異物などが内容物に溶出する恐れがない、常温流通可能な優れた液体用紙容器において、内容物に接するシーラント層５の内面側に、低吸着性であってガスバリヤー性などが優れたシリカ蒸着層２又はアルミナ蒸着層２を設けたことによって、このシーラント層５に内容物の香気成分などが吸着する恐れがない、またシーラント層５の樹脂臭などが内容物に移行する恐れがない、さらにこのシリカ蒸着層２又はアルミナ蒸着層２が水や油やアルコールなどに不溶性であるために、収容した内容物に影響を与える恐れがない、内容物の味覚を保持する機能を付加した液体用紙容器を提供することができる。
【０００７】
しかも、本発明の液体用紙容器においては、内容物に接するシーラント層５の内面側に、シリカ蒸着層２又はアルミナ蒸着層２を、熱融着する部分を除いてパターン状に設けたことによって、図１Ａ　，図２Ａに示す熱融着板３５の縦の谷折り線を谷折りして、この谷折りした熱融着板３５の右側と側面板３１の左端部とを、それぞれのシーラント層５　，５どうしを熱融着して、紙積層材料の切断端部が内容物に接していない、図３に示す上面が平坦な直方体状に製箱する工程で、また図４に示す上面が切妻屋根形の直方体状に製箱する工程で、熱融着性が優れた低密度ポリエチレンなどの、シーラント層５　，５どうしの熱融着に支障がない液体用紙容器を提供することができる。
【０００８】
また、本発明の液体用紙容器は、前述した切断端部が内容物に接していない常温流通可能な液体用紙容器において、内容物に接するシーラント層５の内面側に、シリカ（ＳｉＯＸ）蒸着層２又はアルミナ（Ａｌ２ＯＸ）蒸着層２を、熱融着する部分と全ての折り目線部分と全ての谷折り線部分とを除いて（　図２Ａに斜線で示す　）パターン状に設けたことを特徴とする液体用紙容器である。
【０００９】
本発明の液体用紙容器においては、前述した常温流通可能な優れた液体用紙容器において、内容物に接するシーラント層５の内面側に、低吸着性であってガスバリヤー性などが優れたシリカ蒸着層２又はアルミナ蒸着層２を、熱融着する部分と全ての折り目線部分と全ての谷折り線部分とを除いてパターン状に設けたことによって、このシーラント層５に内容物の香気成分などが吸着する恐れがない、またシーラント層５の樹脂臭などが内容物に移行する恐れがない、さらにこのシリカ蒸着層２又はアルミナ蒸着層２が水や油やアルコールなどに不溶性であるために、収容した内容物に影響を与える恐れがない、内容物の味覚を保持する機能を付加した液体用紙容器であって、前述した熱融着性が優れた低密度ポリエチレンなどの、シーラント層５　，５どうしの熱融着に支障がない、加えて、後述する実施例２に示すように、この折り目線と谷折り線とを設ける打抜工程で、また折り目線と谷折り線とを山折り谷折りする製箱工程で、低吸着性であってガスバリヤー性などが優れたシリカ蒸着層２又はアルミナ蒸着層２が剥離脱落して、収容した内容物に混入する恐れがない液体用紙容器を提供することができる。
【００１０】
【発明の実施の形態】
本発明の液体用紙容器における、内容物に接するシーラント層５の内面側に、シリカ蒸着層２又はアルミナ蒸着層２をパターン状に設ける方法については、表面に美麗な印刷をした適宜の紙材料層３と、アルミニウム箔やシリカ蒸着付のＰＥＴフィルムなどのバリヤー層４と、熱融着性が優れた低密度ポリエチレンなどのシーラント層５とを、適宜の接着性樹脂層６を介するなどして積層した紙積層材料の、シーラント層５の内面側の熱融着する部分（　及び全ての折り目線部分　，谷折り線部分　）に、図示していない水溶性などの剥離ニス層を印刷するなどして設けた後に、通常の真空蒸着方法で、全面に１〜８０ｎｍのシリカ（ＳｉＯＸ）蒸着層２又は１〜８０ｎｍのアルミナ（Ａｌ２ＯＸ）蒸着層２を設けて、この剥離ニス層を水洗するなどして除去することによって、内容物に接するシーラント層５の内面側に、低吸着性であってガスバリヤー性などが優れたシリカ蒸着層２又はアルミナ蒸着層２を、熱融着する部分を除いて、また熱融着する部分と全ての折り目線部分と全ての谷折り線部分とを除いて、図１Ａ　，図２Ａに斜線で示すパターン状に設けることができる。
【００１１】
また、本発明の液体用紙容器の、表面に美麗な印刷をした適宜の紙材料層３の、シーラント層５とは反対側の外面には、液体用紙容器を製箱し易いように、耐水性や熱融着性が優れた低密度ポリエチレンなどの、シーラント層５と同様の表面樹脂層７を設けることが好ましい。
【００１２】
【実施例】
＜実施例１＞
図１Ａは、本発明の実施例１における、液体用紙容器のブランクの平面図であって、図１Ｂは、液体用紙容器の紙積層材料の部分断面図である。
また図３は、本発明の実施例１における、液体用紙容器の斜視図である。
【００１３】
すなわち、上面板群２１　，２２　，２３　，２４と側面板３１　，３２　，３３　，３４と熱融着板３５と底面板群４１　，４２　，４３　，４４とを、それぞれ符号がない１点鎖線で示す折り目線又は符号がない破線で示す谷折り線を介して連設して成る、縦と横と高さとが８５×８５×１８０ｍｍの上面が平坦な直方体状の、図１Ａに示す液体用紙容器のブランクであって、表面に美麗な印刷をして、その外面に耐水性や熱融着性が優れた低密度ポリエチレン２５μｍの表面樹脂層７を設けた４００ｇ／ｍ２の板紙層３と、各種バリヤー性が優れたシリカ蒸着４０ｎｍ付の１２μｍのＰＥＴフィルム層４と、熱融着性が優れた低密度ポリエチレンの４５μｍのシーラント層５とを、それぞれ熱溶融した１５μｍの線状低密度ポリエチレン層６　，６を介して、通常の熱押出し方法で積層した後に、前述したパターン蒸着方法で、内容物に接するシーラント層５の内面側に、低吸着性であってガスバリヤー性などが優れた４０ｎｍのシリカ（ＳｉＯＸ）蒸着層２を、熱融着する部分を除いて、図１Ａに斜線で示すパターン状に設けた、図１Ｂに示す紙積層材料を用いて、通常の打抜型を用いた打抜工程で、無駄が少ない長方形状の液体用紙容器のブランクを作製した。
【００１４】
次に、図１Ａに示す液体用紙容器のブランクの、熱融着板３５の縦の谷折り線を谷折りして、この谷折りした熱融着板３５の右側と側面板３１の左端部とを、紙積層材料の切断端部が内容物に接していない角筒状に、それぞれのシーラント層５　，５どうしを熱融着して、図示していない口栓体を上面板２３に熱融着した後に、通常の液体用紙容器の製箱充填工程で、１２００ｍｌの液体調味料を収容しながら、上面板群２１　，２２　，２３　，２４と底面板群４１　，４２　，４３　，４４との、それぞれのシーラント層５　，５どうしを熱融着して、図３に示す上面が平坦な直方体状の、切断端部が内容物に接していない常温流通可能な液体用紙容器を作製した。
【００１５】
本発明の実施例１の液体用紙容器においては、前述した従来と同様の、紙積層材料の切断端部が内容物に接していない、特に板紙層３に内容物が浸透して漏れだす恐れがない、また板紙層３の異物などが内容物に溶出する恐れがない、常温流通可能な優れた液体用紙容器において、内容物に接するシーラント層５の内面側に、低吸着性であってガスバリヤー性などが優れた４０ｎｍのシリカ（ＳｉＯＸ）蒸着層２を、熱融着する部分を除いてパターン状に設けたことによって、このシーラント層５に液体調味料の香気成分などが吸着する恐れがない、またシーラント層５の樹脂臭などが液体調味料に移行する恐れがない、さらにこのシリカ蒸着層２が水や油などに不溶性であるために、収容した液体調味料に影響を与える恐れがない、液体調味料の味覚を保持する機能を付加した液体用紙容器であって、熱融着性が優れた低密度ポリエチレンの４５μｍの、シーラント層５　，５どうしの熱融着に支障がない液体用紙容器を得ることができた。
【００１６】
＜実施例２＞
図２Ａは、本発明の実施例２における、液体用紙容器のブランクの平面図であって、図２Ｂは、液体用紙容器の紙積層材料の部分断面図である。
また図４は、本発明の実施例２における、液体用紙容器の斜視図である。
【００１７】
すなわち、上面板群２１　，２２　，２３　，２４と側面板３１　，３２　，３３　，３４と熱融着板３５と底面板群４１　，４２　，４３　，４４とを、それぞれ符号がない１点鎖線で示す折り目線又は符号がない破線で示す谷折り線を介して連設して成る、収容部の縦と横と高さとが８５×８５×１８０ｍｍの上面が切妻屋根形の直方体状の、図２Ａに示す液体用紙容器のブランクであって、表面に美麗な印刷をして、その外面に耐水性や熱融着性が優れた低密度ポリエチレン２５μｍの表面樹脂層７を設けた４００ｇ／ｍ２の板紙層３と、各種バリヤー性が優れた９μｍのアルミニウム箔層４と、熱融着性が優れた低密度ポリエチレンの４５μｍのシーラント層５とを、それぞれ熱溶融した１５μｍの線状低密度ポリエチレン層６　，６を介して、同様の熱押出し方法で積層した後に、前述したパターン蒸着方法で、内容物に接するシーラント層５の内面側に、低吸着性であってガスバリヤー性などが優れた２０ｎｍのアルミナ（Ａｌ２ＯＸ）蒸着層２を、熱融着する部分と全ての折り目線部分と全ての谷折り線部分とを除いて、図２Ａに斜線で示すパターン状に設けた、図２Ｂに示す紙積層材料を用いて、通常の打抜型を用いた打抜工程で、無駄が少ない長方形状の液体用紙容器のブランクを作製した。
【００１８】
次に、実施例１と同様に、図２Ａに示す液体用紙容器のブランクの、熱融着板３５の縦の谷折り線を谷折りして、この谷折りした熱融着板３５の右側と側面板３１の左端部とを、紙積層材料の切断端部が内容物に接していない角筒状に、それぞれのシーラント層５　，５どうしを熱融着して、図示していない口栓体を上面板２３に熱融着した後に、通常の液体用紙容器の製箱充填工程で、１２００ｍｌのアルコール飲料を収容しながら、上面板群２１　，２２　，２３　，２４と底面板群４１　，４２　，４３　，４４との、それぞれのシーラント層５　，５どうしを熱融着して、図４に示す上面が切妻屋根形の直方体状の、切断端部が内容物に接していない常温流通可能な液体用紙容器を作製した。
【００１９】
本発明の実施例２の液体用紙容器においては、実施例１と同様の常温流通可能な優れた液体用紙容器において、内容物に接するシーラント層５の内面側に、低吸着性であってガスバリヤー性などが優れた２０ｎｍのアルミナ（Ａｌ２ＯＸ）蒸着層２を、熱融着する部分と全ての折り目線部分と全ての谷折り線部分とを除いてパターン状に設けたことによって、このシーラント層５にアルコール飲料の香気成分などが吸着する恐れがない、またシーラント層５の樹脂臭などがアルコール飲料に移行する恐れがない、さらにこのアルミナ蒸着層２が水やアルコールなどに不溶性であるために、収容したアルコール飲料に影響を与える恐れがない、アルコール飲料の味覚を保持する機能を付加した液体用紙容器であって、熱融着性が優れた低密度ポリエチレンの４５μｍの、シーラント層５　，５どうしの熱融着に支障がない、加えて、この折り目線と谷折り線とを設ける打抜工程で、また折り目線と谷折り線とを山折り谷折りする製箱工程で、低吸着性であってガスバリヤー性などが優れたアルミナ蒸着層２が剥離脱落して、収容したアルコール飲料に混入する恐れがない液体用紙容器を得ることができた。
【００２０】
【発明の効果】
以上、実施例ほかに示すとおり、本発明の液体用紙容器においては、ジュースや調味料や酒類などを収容する紙積層材料製の、上面が平坦な又は上面が切妻屋根形の直方体状の、切断端部が内容物に接していない常温流通可能な液体用紙容器において、内容物に接するシーラント層５の内面側に、低吸着性であってガスバリヤー性などが優れたシリカ蒸着層２又はアルミナ蒸着層２を設けることによって、このシーラント層５に内容物の香気成分などが吸着する恐れがない、またシーラント層５の樹脂臭などが内容物に移行する恐れがない、内容物の味覚を保持する機能を付加した液体用紙容器を提供することができる。
【図面の簡単な説明】
【図１】本発明の実施例１における、図１Ａは、液体用紙容器のブランクの平面図であって、図１Ｂは、液体用紙容器の紙積層材料の部分断面図である。
【図２】本発明の実施例２における、図２Ａは、液体用紙容器のブランクの平面図であって、図２Ｂは、液体用紙容器の紙積層材料の部分断面図である。
【図３】本発明の実施例１における、液体用紙容器の斜視図である。
【図４】本発明の実施例２における、液体用紙容器の斜視図である。
【符号の説明】
２…シリカ蒸着層　，アルミナ蒸着層
３…紙材料層　，板紙層
４…バリヤー層　，ＰＥＴフィルム層　，アルミニウム箔層
５…シーラント層
６…接着性樹脂層　，線状低密度ポリエチレン層
７…表面樹脂層
２１　，２２　，２３　，２４…上面板群
３１　，３２　，３３　，３４…側面板
３５…熱融着板
４１　，４２　，４３　，４４…底面板群
【図１】
2004115076.tif 000003
【図２】
2004115076.tif 000004
【図３】
2004115076.tif 000005
【図４】
2004115076.tif 000006